(57)【特許請求の範囲】
【請求項１】
複数の遊技図柄（２８ａ）〜（２８ｃ）を夫々複数種類に変動表示可能な図柄表示手段（１５）と、該図柄表示手段（１５）の変動後の停止図柄を特定態様とするか否かを抽選する特定態様抽選手段（４４）と、該特定態様抽選手段（４４）が特定態様とする旨の抽選を行い且つ前記図柄表示手段（１５）の変動後の停止図柄が特定態様となることに基づいて遊技者に有利な利益状態を発生させる利益状態発生手段（４６）とを備えた弾球遊技機において、前記遊技図柄（２８ａ）〜（２８ｃ）は夫々複数種類の数字図柄で構成され、リーチ状態を構成する数字図柄の値の大小が前記特定態様となる信頼度の大小と一致するように前記遊技図柄の種類毎の選択率が予め定められており、前記図柄表示手段（１５）の図柄変動がリーチ状態を経由する場合に、そのリーチ状態を構成する遊技図柄を前記複数種類の中から前記選択率に基づいて選択するリーチ図柄選択手段（４９）（６３）を備えたことを特徴とする弾球遊技機。
【請求項２】
前記リーチ図柄選択手段は、前記特定態様抽選手段（４４）が非特定態様とする旨の抽選を行った場合のリーチ図柄を選択する非特定態様リーチ図柄選択手段（４９）と、前記特定態様抽選手段（４４）が特定態様とする旨の抽選を行った場合のリーチ図柄を選択する特定態様リーチ図柄選択手段（６３）とを備えたことを特徴とする請求項１に記載の弾球遊技機。
【請求項３】
前記リーチ図柄選択手段を構成する前記非特定態様リーチ図柄選択手段（４９）と前記特定態様リーチ図柄選択手段（６３）とを夫々個別の基板（３２）（３３）上に設けたことを特徴とする請求項２に記載の弾球遊技機。
【請求項４】
前記複数種類の数字図柄に夫々対応するリーチ変動パターン（ａ０）〜（ａ９）（ｂ０）〜（ｂ９）（ｃ０）〜（ｃ９）（ｄ０）〜（ｄ９）を記憶する変動パターン記憶手段（６２）を備えたことを特徴とする請求項１〜３の何れかに記載の弾球遊技機。
【請求項５】
前記特定態様となる信頼度を、前記図柄表示手段（１５）による図柄変動においてリーチ状態が発生した後に表示する信頼度表示手段（６６）を備えたことを特徴とする請求項１〜４の何れかに記載の弾球遊技機。
【発明の詳細な説明】
【０００１】
【発明の属する技術分野】
本発明は、パチンコ機、アレンジボール機、雀球遊技機等の弾球遊技機に関するものである。
【０００２】
【従来の技術】
パチンコ機等の弾球遊技機では、複数種類の遊技図柄を変動表示可能な図柄表示部を複数、例えば左右方向に３つ配置した図柄表示手段を備え、所定の図柄始動手段が遊技球を検出することを条件に図柄表示手段の遊技図柄を所定の変動パターンに従って変動させ、その変動後の停止図柄が予め定められた所定の組み合わせ、例えば全て同種図柄となる特定態様となった場合に、遊技者に有利な利益状態を発生させるようになっている。
【０００３】
この種の弾球遊技機では、図柄変動時の演出の１つとして、事前に特定態様となる信頼度を何らかの方法で遊技者に報知するようにしたものが一般的である。この特定態様信頼度の報知方法としては、所定のキャラクターが登場する変動パターンで変動する場合にはその他の変動パターンの場合よりも特定態様となる信頼度を高くするなど、変動パターン毎に特定態様となる信頼度を異ならせるようにしたものなどが知られている。
【０００４】
【発明が解決しようとする課題】
この種の弾球遊技機においては、図柄変動時の画面演出は複雑化、多様化の一途をたどっている。このような状況の中、上述した従来の弾球遊技機のように変動パターンによって特定態様信頼度を報知するようにしても、各変動パターンの微妙な違いに基づいてその報知内容を認識することは多くの遊技者にとって非常に難しく、必ずしも一般的な遊技者の遊技意欲を向上させるものとはなっていないという問題があった。
【０００５】
本発明は、このような従来の問題点に鑑み、特定態様信頼度を誰にでも容易に認識し得るように報知することにより遊技に対する興趣を増大できる弾球遊技機を提供することを目的とする。
【０００６】
【課題を解決するための手段】
本発明は、複数の遊技図柄２８ａ〜２８ｃを夫々複数種類に変動表示可能な図柄表示手段１５と、該図柄表示手段１５の変動後の停止図柄を特定態様とするか否かを抽選する特定態様抽選手段４４と、該特定態様抽選手段４４が特定態様とする旨の抽選を行い且つ前記図柄表示手段１５の変動後の停止図柄が特定態様となることに基づいて遊技者に有利な利益状態を発生させる利益状態発生手段４６とを備えた弾球遊技機において、前記遊技図柄２８ａ〜２８ｃは夫々複数種類の数字図柄で構成され、リーチ状態を構成する数字図柄の値の大小が前記特定態様となる信頼度の大小と一致するように前記遊技図柄の種類毎の選択率が予め定められており、前記図柄表示手段１５の図柄変動がリーチ状態を経由する場合に、そのリーチ状態を構成する遊技図柄を前記複数種類の中から前記選択率に基づいて選択するリーチ図柄選択手段４９，６３を備えたものである。
【０００７】
【発明の実施の形態】
以下、本発明の各実施形態を図面に基づいて詳述する。図１〜図７は本発明をパチンコ機に採用した一実施形態を例示している。図１において、１は遊技機本体で、矩形枠状の外枠２と、この外枠２に開閉自在に枢着された前枠３とを備えている。前枠３には、その窓孔に対応して遊技盤４が裏側から着脱自在に装着され、この遊技盤４の前側に、前枠３に開閉自在に枢着されたガラス扉５と前面板６とが開閉自在に配置されている。前面板６には、発射用の遊技球を貯留する上皿７が装着されている。前枠３の下部には、余剰球を貯留する下皿８と、発射手段９の発射ハンドル１０とが夫々設けられている。
【０００８】
遊技盤４には、図２に示すように、発射手段９から発射された遊技球を案内するガイドレール１１が環状に装着されると共に、そのガイドレール１１の内側の遊技領域１２に、液晶表示手段１３、第１図柄表示手段１４、第２図柄表示手段１５、第１図柄始動手段１６、第２図柄始動手段１７、可変入賞手段１８、普通入賞手段１９〜２１等の各種遊技部品が配置されている。
【０００９】
液晶表示手段１３は、遊技盤４に前側から装着された表示ケース２２と、この表示ケース２２の略中央に配置された液晶表示部２３とを備えており、表示ケース２２の上部側に第１図柄表示手段１４が設けられている。液晶表示部２３は、第２図柄表示手段１５を構成すると共に、遊技者に対して通常のデモ画像、その他遊技画像等を表示可能となっている。
【００１０】
第１図柄表示手段１４は１個又は複数個、例えば１個の第１図柄を変動表示可能であり、通過ゲート等よりなる第１図柄始動手段１６が遊技球を検出することを条件に、その第１図柄が乱数制御等により所定時間変動して停止するようになっている。
【００１１】
第１図柄は、上下方向又は左右方向のスクロール等によって変動し、変動後に所定態様（所定種類の図柄）又は非所定態様で停止する。第１図柄には、数字図柄、アルファベット図柄、キャラクター図柄、その他の適宜遊技図柄を使用可能であり、この実施形態では０〜９までの数字図柄が用いられている。
【００１２】
なお、第１図柄表示手段１４を、例えば当たり、はずれに対応する複数、例えば２個のランプにより構成し、それらのランプを例えば交互に点灯させることによって変動させ、当たり側のランプを点灯させる所定態様と、はずれ側のランプを点灯させる非所定態様の何れかで停止させるようにしてもよい。
【００１３】
第２図柄始動手段１７は、開閉自在な左右一対の開閉爪１７ａを備えた可変作動式の電動式チューリップ等により構成され、第１図柄表示手段１４の変動後の第１図柄が所定態様となった場合に一対の開閉爪１７ａが所定時間開状態に作動するようになっている。
【００１４】
第２図柄表示手段１５は、図３に示すように、左右方向に複数、例えば３個の図柄表示部２７ａ〜２７ｃを有し、それら各図柄表示部２７ａ〜２７ｃ毎に第２図柄（遊技図柄）２８ａ〜２８ｃを変動表示可能となっている。
【００１５】
各第２図柄２８ａ〜２８ｃは、第２図柄始動手段１７が遊技球を検出することを条件に例えば上下方向にスクロールする等、乱数抽選によって選択された所定の変動パターンで所定時間変動して、特定態様（全て同種図柄となるなどの所定の図柄の組み合わせ）又は非特定態様となるように左、右、中等の所定の順序で停止する。
【００１６】
第２図柄２８ａ〜２８ｃには、数字図柄、アルファベット図柄、キャラクター図柄、その他の適宜図柄を使用可能であり、この実施形態では、「０」〜「９」までの１０種類の数字図柄を用いるものとする。
【００１７】
第２図柄２８ａ〜２８ｃの変動パターンには、大きく分けて第１リーチ大当たり変動パターンａ、第２リーチ大当たり変動パターンｂ、第１リーチはずれ変動パターンｃ、第２リーチはずれ変動パターンｄ、リーチなし変動パターンｅ等の多種類の変動パターンａ〜ｅ（以下、大分類の変動パターンという）がある。
【００１８】
第１，第２リーチ大当たり変動パターンａ，ｂは、リーチ状態を経由し且つ特定態様となる変動パターンで、所定種類の第２図柄でのリーチ状態を経由して一旦特定態様で仮停止した後、再変動して所定の特定態様で停止・確定するようになっている。
【００１９】
第１，第２リーチはずれ変動パターンｃ、ｄは、リーチ状態を経由し且つ非特定態様となる変動パターンで、所定種類の第２図柄でのリーチ状態を経由した後、所定の非特定態様で停止・確定するようになっている。なお、リーチなし変動パターンｅは、リーチ状態を経由することなく非特定態様となる変動パターンである。
【００２０】
更に、リーチ状態を経由するリーチ変動パターンａ〜ｄは、そのリーチ状態を構成する第２図柄の種類によって夫々１０種類の変動パターン（以下、小分類の変動パターンという）ａ０〜ａ９，ｂ０〜ｂ９，ｃ０〜ｃ９，ｄ０〜ｄ９に細分化されており、例えば変動パターンａ０，ｂ０，ｃ０，ｄ０は第２図柄「０」でリーチ状態となり、変動パターンａ１，ｂ１，ｃ１，ｄ１は第２図柄「１」でリーチ状態となるように構成されている。
【００２１】
また、第２図柄２８ａ〜２８ｃが変動後に特定態様となる（当然にリーチ状態を経由する）場合には、リーチ状態を構成する停止図柄として１０種類の第２図柄「０」〜「９」の何れかが夫々図４に示す選択率１，２，…，１８，２５％で選択されるようになっている。即ち、特定態様となる場合には、リーチ状態を構成する停止図柄として、大きな値を示す第２図柄（例えば「９」）が、それよりも小さな値を示す第２図柄（例えば「０」〜「８」）よりも高い確率で選択されるようになっている。
【００２２】
一方、第２図柄２８ａ〜２８ｃがリーチ状態を経由した後に非特定態様となる場合には、そのリーチ状態を構成する停止図柄として１０種類の第２図柄「０」〜「９」の何れかが夫々図４に示す選択率２５，１８，…，２，１％で選択されるようになっている。即ち、リーチ状態を経由した後に非特定態様となる場合には、特定態様となる場合とは逆に、リーチ状態を構成する停止図柄として、大きな値を示す第２図柄（例えば「９」）が、それよりも小さな値を示す第２図柄（例えば「０」〜「８」）よりも低い確率で選択されるようになっている。
【００２３】
リーチ状態を構成する停止図柄の選択に関して、各第２図柄「０」〜「９」の選択率が以上のように設定されていることにより、各第２図柄「０」〜「９」でリーチ状態が発生した場合に特定態様となる信頼度（特定態様信頼度）は、図４に示すように、大きな値を示す第２図柄が、それよりも小さな値を示す第２図柄よりも高くなっている。即ち、第２図柄の示す数字が大きいほど、特定態様信頼度は高くなっている。例えば、第２図柄２８ａ〜２８ｃが図柄「０」でリーチとなった場合の特定態様信頼度は０．１３％であるのに対し、図柄「９」でリーチとなった場合の特定態様信頼度は４５．５４％となっている。
【００２４】
なお、図４に示す各特定態様信頼度の値は、特定態様となる確率を１／３００、リーチ状態が発生する確率（非特定態様となる場合）を１／１０とした場合のものである。
【００２５】
また、これら特定態様信頼度の値は、第２図柄表示手段１５上の所定位置、例えば図柄表示部２７ａ〜２７ｃの上側に設けられる信頼度表示部２９に、例えばリーチ状態の発生後に図４に示す信頼度表示態様「０．１％」、「４６％」等の形で表示されるようになっている。
【００２６】
可変入賞手段１８は、下部側の横軸心廻りに開閉する開閉板１８ａを備えた可変作動式であって、第２図柄表示手段１５の変動後の第２図柄２８ａ〜２８ｃが特定態様となることに基づいて利益状態が発生したときに、開閉板１８ａが前側に所定時間開放して、その上に落下した遊技球を内部へと入賞させるようになっている。
【００２７】
また可変入賞手段１８は、その内部側が３個等の複数個の通路に分割され、その一部の通路が特定領域３１となっている。そして、遊技球が特定領域３１を通過することを条件に、利益状態を継続させるようになっている。
【００２８】
なお、可変入賞手段１８は、開放から所定時間（例えば３０秒）が経過するか、所定時間（例えば３０秒）の経過までに可変入賞手段１８に所定数（例えば１０個）の遊技球が入賞することを条件に開閉板１８ａを閉じ、遊技球が特定領域３１を通過することを条件に、最大所定回数（例えば１６回）まで開閉動作を繰り返すようになっている。
【００２９】
図５は制御用のブロック図である。図５において、３２は主制御基板であり、この主制御基板３２は、遊技領域１２側に装着された液晶表示手段１３、その他の複数個の遊技部品を裏側から一括して覆う裏カバーの裏側等、前枠３及び遊技盤４を含む遊技機本体１の裏側の適当箇所に着脱自在に装着された基板ケースに収納されている。３３は図柄制御基板で、この図柄制御基板３３は、液晶表示手段１３の裏側等、前枠３及び遊技盤４を含む遊技機本体１の裏側の適当箇所に着脱自在に装着された基板ケースに収納されている。
【００３０】
主制御基板３２は、主に遊技盤４側の遊技動作に関わる制御を行うためのもので、ＣＰＵ、ＲＯＭ、ＲＡＭ等により構成されており、第１乱数抽選手段４１、第１判定手段４２、開閉制御手段４３、第２乱数抽選手段４４、第２判定手段４５、利益状態発生手段４６、特定態様図柄選択手段４７、リーチ抽選手段４８、非特定態様図柄選択手段４９、大分類変動パターン選択手段５０、制御コマンド送信手段５１等を備えている。
【００３１】
第１乱数抽選手段４１は、変動後の第１図柄が所定態様となる確率が例えば１／１０のときに０〜９までの１０個の乱数値を発生する等、その確率に応じて所定数の乱数値を発生し、第１図柄始動手段１６が遊技球を検出することを条件に、その何れかの乱数値を抽出するようになっている。
【００３２】
第１判定手段４２は、第１乱数抽選手段４１での抽出乱数値に基づいて、変動後の第１図柄を所定態様とするか否か、即ち第２図柄始動手段１７を開状態にするか否かを判定するためのもので、第１乱数抽選手段４１で抽出された抽出乱数値が所定態様判定値か否かを判定し、その抽選乱数値が所定態様判定値のときに所定態様の判定出力を出すようになっている。
【００３３】
開閉制御手段４３は、第１判定手段４２の判定結果が所定態様判定のときに、第１図柄表示手段１４の変動後の第１図柄が所定態様となることに基づいて第２図柄始動手段１７の開閉爪１７ａを所定時間開放させるようになっている。
【００３４】
第２乱数抽選手段（特定態様抽選手段）４４は、変動後の第２図柄２８ａ〜２８ｃが特定態様となる確率が例えば１／３００のときに０〜２９９までの３００個の乱数値を発生する等、その確率に応じて所定数の乱数値を発生し、第２図柄始動手段１７が遊技球を検出することを条件に、その何れかの乱数値を抽出するようになっている。
【００３５】
第２判定手段４５は、第２乱数抽選手段４４での抽出乱数値に基づいて変動後の第２図柄２８ａ〜２８ｃが特定態様となるか否か、即ち利益状態を発生させるか否かを判定するためのもので、第２乱数抽選手段４４で抽出された抽出乱数値が特定態様判定値か否かを判定し、その抽出乱数値が特定態様判定値のときに特定態様（利益状態発生）の判定出力を出すようになっている。
【００３６】
利益状態発生手段４６は、第２判定手段４５の判定結果が特定態様判定のときに、第２図柄表示手段１５の変動後の第２図柄２８ａ〜２８ｃが「７・７・７」等の特定態様となることに基づいて、遊技者に有利となる利益状態を発生させるためのものである。
【００３７】
この利益状態発生手段４６は、第２図柄表示手段１５の変動後の第２図柄２８ａ〜２８ｃが特定態様となった後に可変入賞手段１８の開閉板１８ａを開放し、また開閉板１８ａの開放から所定時間（例えば３０秒）が経過するか、所定時間（例えば３０秒）の経過までに可変入賞手段１８に所定数（例えば１０個）の遊技球が入賞したときに開閉板１８ａを閉じ、更に入賞した遊技球が特定領域３１を通過することを条件に、最大所定回数（例えば１６回）まで開閉動作（利益状態）を継続させるようになっている。
【００３８】
特定態様図柄選択手段４７は、第２判定手段４５による判定結果が特定態様判定となった場合に第２図柄２８ａ〜２８ｃの変動後の停止図柄（一旦仮停止した後の再変動後の停止図柄）を選択するもので、１０種類の第２図柄「０」〜「９」の中から１つを乱数抽選により選択するようになっている。
【００３９】
リーチ抽選手段４８は、第２図柄表示手段１５による図柄変動においてリーチ状態を発生させるか否かを抽選するもので、第２判定手段４５による判定結果が非特定態様判定となった場合に作動するようになっている。
【００４０】
非特定態様図柄選択手段（非特定態様リーチ図柄選択手段）４９は、リーチ図柄選択手段を構成し、第２判定手段４５による判定結果が非特定態様判定となった場合に第２図柄２８ａ〜２８ｃの変動後の停止図柄を複数種類の中から選択するもので、リーチ抽選手段４８がリーチ状態を発生させる旨の抽選を行った場合に、停止図柄のうちのリーチ状態を構成する図柄として、１０種類の第２図柄「０」〜「９」の中から１つを予め定められた選択率（図４）に基づいて選択し、残りの図柄としてそのリーチ状態を構成する図柄とは異なる図柄を夫々選択する機能と、リーチ抽選手段４８がリーチ状態を発生させない旨の抽選を行った場合に、リーチ状態とはならない任意の停止図柄を選択する機能とを備えている。
【００４１】
非特定態様判定で且つリーチ判定の場合における１０種類の第２図柄「０」〜「９」の選択率は、図４に示すように、大きな値を示す第２図柄の選択率の値が、それよりも小さな値を示す第２図柄の選択率の値よりも低くなっているため、非特定態様図柄選択手段４９は、停止図柄のうちのリーチ状態を構成する図柄として、大きな値を示す第２図柄を、それよりも小さな値を示す第２図柄よりも低い確率で選択するようになっている。
【００４２】
大分類変動パターン選択手段５０は、第２判定手段４５の判定結果とリーチ抽選手段４８による抽選結果とに基づいて複数の大分類変動パターンａ〜ｅ等の中から１つを選択するもので、第２判定手段４５の判定結果が特定態様判定の場合にリーチ大当たり変動パターンａ，ｂの何れかを、第２判定手段４５の判定結果が非特定態様判定で且つリーチ抽選手段４８がリーチ状態を発生させる旨の抽選を行った場合にリーチはずれ変動パターンｃ，ｄの何れかを、第２判定手段４５の判定結果が非特定態様判定で且つリーチ抽選手段４８がリーチ状態を発生させない旨の抽選を行った場合に、リーチなし変動パターンｅを、夫々選択するようになっている。
【００４３】
制御コマンド送信手段５１は、所定の制御コマンドを一方向通信により図柄制御基板３３側へと送信して制御指令を与えるためのもので、第１図柄始動手段１６が遊技球を検出したときに、第１判定手段４２の判定結果に基づいて第１図柄の停止図柄コマンド等を図柄制御基板３３側へと送信する機能、第２図柄始動手段１７が遊技球を検出したときに、第２判定手段４５の判定結果、特定態様図柄選択手段４７又は非特定態様図柄選択手段４９で選択された停止図柄、大分類変動パターン選択手段５０で選択された大分類変動パターンａ〜ｅ等に基づいて、第２図柄２８ａ〜２８ｃの変動パターンコマンド、停止図柄コマンド、停止コマンド等を図柄制御基板３３側へと送信する機能等を備えている。
【００４４】
図柄制御基板３３は、第１図柄表示手段１４及び第２図柄表示手段１５の表示制御を行うためのもので、第１図柄制御手段６１、変動パターン記憶手段６２、特定態様リーチ図柄選択手段６３、小分類変動パターン選択手段６４、第２図柄制御手段６５、信頼度表示手段６６等を備えている。
【００４５】
第１図柄制御手段６１は、第１図柄表示手段１４の表示制御を行うもので、第１図柄始動手段１６が遊技球を検出することを条件に、制御コマンド送信手段５１からのコマンドに基づいて第１図柄表示手段１４の第１図柄を所定時間変動させて、第１判定手段４２の判定結果が所定態様判定のときに「７」等の所定態様で、それ以外のときに非所定態様で第１図柄を停止させるようになっている。
【００４６】
変動パターン記憶手段６２には、変動パターンａ０〜ａ９，ｂ０〜ｂ９，ｃ０〜ｃ９，ｄ０〜ｄ９、ｅ等に対応する複数の変動パターンデータが予め記憶されている。また、この変動パターン記憶手段６２には、リーチ変動パターンａ０〜ａ９，ｂ０〜ｂ９，ｃ０〜ｃ９，ｄ０〜ｄ９に対応して、夫々リーチ発生時の特定態様信頼度の値（図４）が予め記憶されている。
【００４７】
特定態様リーチ図柄選択手段６３は、リーチ図柄選択手段を構成するもので、第２判定手段４５による判定結果が特定態様判定となった場合に、リーチ状態を構成する第２図柄として、１０種類の第２図柄「０」〜「９」の中から１つを予め定められた選択率（図４）に基づいて選択するようになっている。
【００４８】
特定態様判定時におけるリーチ状態を構成する停止図柄としての１０種類の第２図柄「０」〜「９」の選択率は、図４に示すように、大きな値を示す第２図柄の選択率の値が、それよりも小さな値を示す第２図柄の選択率の値よりも高くなっている。即ち、特定態様リーチ図柄選択手段６３は、大きな値を示す第２図柄を、それよりも小さな値を示す第２図柄よりも高い確率で選択するようになっている。
【００４９】
即ち、この特定態様リーチ図柄選択手段６３と、上述の非特定態様図柄選択手段４９とで構成されるリーチ図柄選択手段は、大きな値を示す第２図柄を選択した場合よりも、それより小さな値を示す第２図柄を選択した場合の方が特定態様となる信頼度が低くなるように複数種類の第２図柄「０」〜「９」のうちの１つを選択するようになっている。
【００５０】
小分類変動パターン選択手段６４は、大分類変動パターン選択手段５０において変動パターンａ〜ｄが選択された場合に、その選択された大分類変動パターンに対応する小分類変動パターンａ０〜ａ９，ｂ０〜ｂ９，ｃ０〜ｃ９，ｄ０〜ｄ９の何れかを選択するもので、大分類変動パターン選択手段５０でリーチ大当たり変動パターンａ，ｂの何れかが選択された場合には、特定態様図柄選択手段４７で選択された第２図柄に対応する小分類変動パターンａ０〜ａ９，ｂ０〜ｂ９の何れかを、大分類変動パターン選択手段５０でリーチはずれ変動パターンｃ，ｄの何れかが選択された場合には、特定態様リーチ図柄選択手段６３で選択された第２図柄に対応する小分類変動パターンｃ０〜ｃ９，ｄ０〜ｄ９の何れかを、夫々選択するようになっている。
【００５１】
第２図柄制御手段６５は、第２図柄表示手段１５の表示制御を行うもので、第２図柄始動手段１７が遊技球を検出することを条件に、制御コマンド送信手段５１からのコマンド、小分類変動パターン選択手段６４による選択結果、及び変動パターン記憶手段６２に記憶されている変動パターンデータに基づいて第２図柄表示手段１５の第２図柄２８ａ〜２８ｃを所定の変動パターンａ０〜ａ９，ｂ０〜ｂ９，ｃ０〜ｃ９，ｄ０〜ｄ９，ｅ等で所定時間変動させて、第２判定手段４５の判定結果が特定態様判定のときに特定態様で、それ以外のときに非特定態様で第２図柄２８ａ〜２８ｃを停止させるようになっている。
【００５２】
信頼度表示手段６６は、リーチ状態が発生した場合における特定態様信頼度を、第２図柄表示手段１５の図柄変動においてリーチ状態が発生した後に信頼度表示部２９上に表示するもので、リーチ変動手段ａ０〜ａ９，ｂ０〜ｂ９，ｃ０〜ｃ９，ｄ０〜ｄ９の何れかに従って第２図柄２８ａ〜２８ｃが変動表示される場合に、リーチ状態の発生後、そのリーチ状態を構成する第２図柄「０」〜「９」に対応する特定態様信頼度（図４）を、信頼度表示部２９上に表示するようになっている。
【００５３】
次に上記パチンコ機における動作について説明する。ゲームに際して発射手段９により遊技球を発射すると、その遊技球はガイドレール１１を経て遊技領域１２に入った後、その遊技領域１２内を落下する間に普通入賞手段１９〜２１等に入賞するか、第１図柄始動手段１６を通過しながら下方へと落下する。遊技球が第１図柄始動手段１６を通過すると、第１乱数抽選手段４１が発生乱数値を抽出して、第１判定手段４２がその抽出乱数値から所定態様か否かを判定し、その判定結果に基づいて制御コマンド送信手段５１から図柄制御基板３３側に第１図柄の停止図柄コマンド等が送信される。
【００５４】
第１判定手段４２の判定結果が所定態様判定のときには、図柄制御基板３３側の第１図柄制御手段６１の制御により、第１図柄表示手段１４の第１図柄が所定時間変動した後に所定態様で停止する。そして、開閉制御手段４３の制御により、第２図柄始動手段１７の開閉爪１７ａが所定時間開放し、この第２図柄始動手段１７に遊技球が入賞し易くなる。なお、第１判定手段４２の判定結果が所定態様判定以外であれば、変動後の第１図柄が非所定態様で停止する。
【００５５】
第２図柄始動手段１７の開閉爪１７ａが開放して遊技球が入賞し、この第２図柄始動手段１７が遊技球を検出すると、第２乱数抽選手段４４が発生乱数値を抽出し、第２判定手段４５がその抽選乱数値から特定態様か否かを判定する。
【００５６】
そして、この第２判定手段４５の判定結果が特定態様判定の場合には、特定態様図柄選択手段４７が、第２図柄表示手段１５の変動後の特定態様図柄を乱数抽選により選択する。
【００５７】
一方、第２判定手段４５の判定結果が非特定態様判定の場合には、リーチ抽選手段４８が、第２図柄表示手段１５による図柄変動においてリーチ状態を発生させるか否かを抽選する。そして、その抽選結果がリーチ状態を発生させるものである場合には、非特定態様図柄選択手段４９が、停止図柄のうちのリーチ状態を構成する図柄として、１０種類の第２図柄「０」〜「９」の中から１つを予め定められた選択率（図４）に基づいて選択し、残りの図柄としてそのリーチ状態を構成する図柄とは異なる図柄を夫々選択する。なお、リーチ抽選手段４８の抽選結果がリーチ状態を発生させないものである場合には、非特定態様図柄選択手段４９は、リーチ状態とはならない任意の停止図柄を選択する。
【００５８】
その後、大分類変動パターン選択手段５０が、第２判定手段４５の判定結果が特定態様判定の場合にリーチ大当たり変動パターンａ，ｂの何れかを、第２判定手段４５の判定結果が非特定態様判定で且つリーチ抽選手段４８がリーチ状態を発生させる旨の抽選を行った場合にリーチはずれ変動パターンｃ，ｄの何れかを、第２判定手段４５の判定結果が非特定態様判定で且つリーチ抽選手段４８がリーチ状態を発生させない旨の抽選を行った場合に、リーチなし変動パターンｅを、夫々選択する。
【００５９】
そして、制御コマンド送信手段５１が第２図柄２８ａ〜２８ｃの変動パターンコマンド、停止図柄コマンド、停止コマンド等を一方向通信により図柄制御基板３３側へと送信し、第２図柄２８ａ〜２８ｃの変動、停止等を指令する。
【００６０】
図柄制御基板３３側では制御コマンド送信手段５１からの各コマンドを解析して、第２判定手段４５による判定結果が特定態様判定であった場合（変動パターンａ，ｂの何れかが選択されている場合）には、特定態様リーチ図柄選択手段６３が、リーチ状態を構成する第２図柄として１０種類の第２図柄「０」〜「９」の中から１つを予め定められた選択率（図４）に基づいて選択する。
【００６１】
そして、小分類変動パターン選択手段６４が、大分類変動パターン選択手段５０で選択された大分類変動パターンに対応する小分類変動パターンａ０〜ａ９，ｂ０〜ｂ９，ｃ０〜ｃ９，ｄ０〜ｄ９の何れかを選択する。即ち、大分類変動パターン選択手段５０でリーチ大当たり変動パターンａ，ｂの何れかが選択された場合には、特定態様図柄選択手段４７で選択された第２図柄に対応する小分類変動パターンａ０〜ａ９，ｂ０〜ｂ９の何れかを、大分類変動パターン選択手段５０でリーチはずれ変動パターンｃ，ｄの何れかが選択された場合には、特定態様リーチ図柄選択手段６３で選択された第２図柄に対応する小分類変動パターンｃ０〜ｃ９，ｄ０〜ｄ９の何れかを、夫々選択する。
【００６２】
その後、第２図柄制御手段６５が、小分類変動パターン選択手段６４で選択された変動パターンに対応する変動パターンデータを変動パターン記憶手段６２から読み出し、その変動パターンデータに従って第２図柄表示手段１５上に第２図柄を変動表示させ、特定態様図柄選択手段４７で選択された特定態様、又は非特定態様図柄選択手段４９で選択された非特定態様で停止させる。
【００６３】
このとき、リーチ状態を経由するリーチ変動パターンａ０〜ａ９，ｂ０〜ｂ９，ｃ０〜ｃ９，ｄ０〜ｄ９の何れかに従って第２図柄が変動表示される場合には、信頼度表示手段６６が、そのリーチ変動パターンに対応する特定態様信頼度を変動パターン記憶手段６２から読み出し、リーチ状態が発生した後に、その特定態様信頼度の値を信頼度表示部２９上に表示する。
【００６４】
例えば、第２判定手段４５で非特定態様判定となり、リーチ抽選手段４８の抽選結果がリーチ状態を発生させるものとなり、非特定態様図柄選択手段４９で停止図柄「５・７・５」が選択され、大分類変動パターン選択手段５０でリーチはずれ変動パターンｃが選択され、小分類変動パターン選択手段６４でリーチはずれ変動パターンｃ５が選択された場合には、第２図柄制御手段６２によってリーチはずれ変動パターンｃ５に従って第２図柄２８ａ〜２８ｃの変動が開始され（図６（ａ））、左右の第２図柄２８ａ，２８ｃが順次「５」で停止してリーチ状態が発生した後（図６（ｂ），（ｃ））、信頼度表示手段６６によって信頼度表示部２９上に特定態様信頼度の値「４％」が表示される（図６（ｄ））。その後、中央の第２図柄２８ｂが「７」で停止し、非特定態様が確定する（図６（ｅ））。
【００６５】
また例えば、第２判定手段４５で特定態様判定となり、特定態様図柄選択手段４７で停止図柄「７・７・７」が選択され、大分類変動パターン選択手段５０でリーチ大当たり変動パターンａが選択され、特定態様リーチ図柄選択手段６３でリーチ状態を構成する第２図柄「９」が選択され、小分類変動パターン選択手段６４でリーチ大当たり変動パターンａ９が選択された場合には、第２図柄制御手段６２によってリーチ大当たり変動パターンａ９に従って第２図柄２８ａ〜２８ｃの変動が開始され（図７（ａ））、左右の第２図柄２８ａ，２８ｃが順次「９」で停止してリーチ状態が発生した後（図７（ｂ），（ｃ））、信頼度表示手段６６によって信頼度表示部２９上にリーチ図柄「９」に対応する特定態様信頼度の値「４６％」が表示される（図７（ｄ））。その後、中央の第２図柄２８ｂが「９」で仮停止した後（図７（ｅ））、第２図柄２８ａ〜２８ｃが再変動して（図７（ｆ））、特定態様図柄選択手段４７で選択された停止図柄「７・７・７」で停止し、特定態様が確定する（図７（ｇ））。
【００６６】
このように、第２図柄２８ａ〜２８ｃの変動において、リーチ状態を構成する図柄の種類によって特定態様信頼度が異なるため、遊技者は容易に特定態様信頼度を認識することができ、特定態様成立の期待感をより高揚させつつ楽しく遊技を行うことができる。
【００６７】
また、リーチ状態を構成する数字図柄の値の大小が特定態様信頼度の大小と一致しているため、遊技者は特定態様信頼度を極めて容易に認識することが可能である。
【００６８】
更に、リーチ状態が発生した後に特定態様信頼度が信頼度表示部２９に表示されるため、遊技者は特定態様信頼度を更に容易且つ確実に認識することが可能である。
【００６９】
変動後の第２図柄２８ａ〜２８ｃが特定態様となると（図７（ｇ））、その後に利益状態発生手段４６が作動して利益状態が発生し、可変入賞手段１８の開閉板１８ａが前側に開放する。可変入賞手段１８は、開放から所定時間（例えば３０秒）が経過するか、所定時間（例えば３０秒）の経過までに可変入賞手段１８に所定数（例えば１０個）の遊技球が入賞すれば、その時点で開閉板１８ａが閉じる。そして、入賞した遊技球が特定領域３１を通過すれば、再度開閉板１８ａが開放し、最大所定回数（例えば１６回）まで開閉動作を繰り返す。
【００７０】
このため、利益状態が発生すれば、可変入賞手段１８に多数の遊技球が入賞する可能性があり、遊技者はその入賞球数に応じて賞球の払い出しを受けることができ、多大な利益を享受することができる。
【００７１】
以上説明したように、本実施形態では、図柄表示手段１５の図柄変動がリーチ状態を経由する場合に、そのリーチ状態を構成する第２図柄を複数種類の中から選択するリーチ図柄選択手段としての非特定態様図柄選択手段４９及び特定態様リーチ図柄選択手段６３を備え、これらは、特定態様となる信頼度が、所定種類の第２図柄（例えば「９」）を選択した場合よりもその他の所定種類の第２図柄（例えば「０」〜「８」）を選択した場合の方が低くなるように複数種類の第２図柄のうちの１つを選択するように構成されているため、第２図柄２８ａ〜２８ｃの図柄変動においてリーチ状態を構成する停止図柄の種類によってその後に特定態様となる信頼度を報知することができる。これにより、遊技者は容易に特定態様信頼度を認識することができるため、一般的な遊技者の遊技意欲を確実に向上させて遊技に対する興趣を増大できる。
【００７２】
リーチ図柄選択手段は、特定態様抽選手段４４が非特定態様とする旨の抽選を行った場合のリーチ図柄を選択する非特定態様図柄選択手段４９と、第２乱数抽選手段４４が特定態様とする旨の抽選を行った場合のリーチ図柄を選択する特定態様リーチ図柄選択手段６３とを備えているため、例えば非特定態様図柄選択手段４９を主制御基板３２側に、特定態様リーチ図柄選択手段６３を図柄制御基板３３側に設けることで、第２図柄表示手段１５の最終的な停止図柄を主制御基板３３側で決定しつつ、特定態様時のリーチ図柄の決定処理を主制御基板３２側から切り離して図柄制御基板３３側で行うことができ、制御負荷の分散が可能となる。
【００７３】
非特定態様図柄選択手段４９は、所定種類の第２図柄をその他の所定種類の第２図柄よりも低い確率で選択し、特定態様リーチ図柄選択手段６３は、所定種類の第２図柄をその他の所定種類の第２図柄よりも高い確率で選択するように構成しているため、特定態様となる信頼度を、所定種類の第２図柄を選択した場合よりもその他の所定種類の第２図柄を選択した場合の方が低くなるように設定できる。
【００７４】
リーチ状態が発生する場合の特定態様となる信頼度を、第２図柄表示手段１５による図柄変動においてリーチ状態が発生した後に表示する信頼度表示手段６６を備えているため、遊技者はより容易に特定態様信頼度を認識することができる。
【００７５】
第２図柄２８ａ〜２８ｃは夫々複数種類の数字図柄で構成され、リーチ図柄選択手段としての非特定態様図柄選択手段４９及び特定態様リーチ図柄選択手段６３は、大きな値を示す数字図柄を選択した場合よりも、それより小さな値を示す数字図柄を選択した場合の方が特定態様となる信頼度が低くなるように複数種類の数字図柄のうちの１つを選択するものであるため、遊技者は停止図柄が示す数字の大小によって容易に特定態様信頼度を判断することができる。
【００７６】
以上、本発明の各実施形態について詳述したが、本発明はこれら各実施形態に限定されるものではなく、本発明の趣旨を逸脱しない範囲で種々の変更が可能である。例えば、第２図柄２８ａ〜２８は、数字図柄以外の例えばアルファベット図柄、キャラクター図柄、或いはそれら異なる複数種類の図柄を含むように構成してもよい。また、１つの図柄を例えばキャラクター図柄と数字図柄等の複数の図柄で構成してもよい。
【００７７】
数字図柄以外の図柄、例えばアルファベット図柄やキャラクタ図柄を用いる場合には、その図柄の種類、大きさ、色等によって特定態様信頼度を表すようにすればよい。
【００７８】
第２図柄として数字図柄を用いる場合、実施形態とは逆に、大きな値を示す数字図柄を選択した場合よりも、それより小さな値を示す数字図柄を選択した場合の方が特定態様となる信頼度が高くなるように設定してもよい。
【００７９】
第２図柄２８ａ〜２８ｃは、それらを構成する一部の種類の図柄にのみ特定態様信頼度に基づく選択率を設定してもよい。例えば、第２図柄２８ａ〜２８ｃを複数種類の数字図柄と複数種類のアルファベット図柄とで構成し、数字図柄には実施形態と同様に特定態様信頼度に基づく選択率を設定し、アルファベット図柄については特定態様信頼度とは関係なく全て同じ選択率としてもよい。
【００８０】
変動パターンには、各第２図柄の種類に対応するもの以外のものを含めてもよい。またリーチなし変動パターンは２以上設けてもよい。
【００８１】
変動後の第２図柄２８ａ〜２８ｃが特定態様のうちの特別態様（例えば奇数の数字図柄による特定態様）となった場合に、上述した利益状態の終了後等に第２利益状態を発生させるようにしてもよい。また、特定態様となる信頼度と共に、或いは特定態様となる信頼度に代えて、特別態様となる信頼度に基づいて第２図柄の停止図柄を選択するようにしてもよい。
【００８２】
この第２利益状態としては、第２図柄２８ａ〜２８ｃが特定態様となる確率を通常状態よりも高確率とするもの、第２図柄２８ａ〜２８ｃの変動時間を通常状態よりも短縮するもの、第２図柄始動手段１７の開放時間を通常状態よりも長くするもの、第１図柄が所定態様となる確率を通常状態よりも高確率とするもの、第１図柄の変動時間を通常状態よりも短縮するもの、可変入賞手段１８の開放の最大所定回数を増加（例えば通常５回を１６回に増加）させるもの、可変入賞手段１８の１回の開放時間を増大（例えば通常１０秒を３０秒に増大）させるもの、可変入賞手段１８の規定入賞数を増加（例えば通常５個を１０個に増加）させるもの、第２図柄始動手段１７の規定入賞数を増加（例えば通常５個を１０個に増加）させるもの等、種々の利益状態を用いることができる。また、それら複数種類の利益状態を同時或いは個別に発生させるようにしてもよい。
【００８３】
信頼度表示手段６６は、信頼度を液晶表示部２３上に表示するものの他、液晶表示部２３とは別に設けた液晶表示手段、７セグメント表示手段等に表示するものであってもよい。信頼度の表示形態は、信頼度の値を数字で表示するものの他、レベルメータ表示等を用いてもよい。また、第２図柄表示手段１５の背景色を信頼度に応じて変化させたり、信頼度に応じた画像、例えばキャラクター、吹き出し等を表示するなど、信頼度を間接的に表示するものであってもよい。また、ランプ、音声等によって信頼度を報知するようにしてもよい。また、信頼度表示手段６６は省略してもよい。
【００８４】
信頼度表示手段６６による信頼度の表示は、リーチ状態が発生することに関連させて行えばよく、リーチ状態の発生後である必要はない。例えば、リーチ状態の発生前に行ってもよい。また、リーチ状態の発生前、リーチ状態の発生前からリーチ状態の発生後にかけて、或いはリーチ状態の発生後に、特定態様信頼度を段階的に表示するようにしてもよい。
【００８５】
第２図柄表示手段１５は、有効ラインを複数有するように、例えば図柄表示部を縦横複数列に配置したものであってもよい。また、第２図柄表示手段１５は、液晶式の表示手段に限られるものではなく、ＣＲＴ、７セグメント表示手段、ドット式表示手段等であってもよい。
【００８６】
特定態様リーチ図柄選択手段６３は、主制御基板３２側に設けてもよい。また、変動パターン記憶手段６２、小分類変動パターン選択手段６４についても、主制御基板３２側に設けることも可能である。なお、小分類変動パターン選択手段６４は省略してもよい。
【００８７】
また本発明は、パチンコ機に限らず、アレンジボール機、雀球遊技機等においても同様に実施することが可能である。
【００８８】
【発明の効果】
本発明によれば、複数の遊技図柄２８ａ〜２８ｃを夫々複数種類に変動表示可能な図柄表示手段１５と、図柄表示手段１５の変動後の停止図柄を特定態様とするか否かを抽選する特定態様抽選手段４４と、特定態様抽選手段４４が特定態様とする旨の抽選を行い且つ図柄表示手段１５の変動後の停止図柄が特定態様となることに基づいて遊技者に有利な利益状態を発生させる利益状態発生手段４６とを備えた弾球遊技機において、遊技図柄２８ａ〜２８ｃは夫々複数種類の数字図柄で構成され、リーチ状態を構成する数字図柄の値の大小が特定態様となる信頼度の大小と一致するように遊技図柄の種類毎の選択率が予め定められており、図柄表示手段１５の図柄変動がリーチ状態を経由する場合に、そのリーチ状態を構成する遊技図柄を複数種類の中から前記選択率に基づいて選択するリーチ図柄選択手段４９，６３を備えているため、リーチを構成する遊技図柄に基づいて特定態様信頼度を容易に認識することができ、遊技に対する興趣を増大できる。
【図面の簡単な説明】
【図１】本発明の一実施形態を示すパチンコ機の正面図である。
【図２】本発明の一実施形態を示す遊技盤の正面図である。
【図３】本発明の一実施形態を示す第２図柄表示手段の説明図である。
【図４】本発明の一実施形態を示す第２図柄の種類及びそれらに対応する変動パターンの説明図である。
【図５】本発明の一実施形態を示す制御系のブロック図である。
【図６】本発明の一実施形態を示す第２図柄表示手段の変動状態の説明図である。
【図７】本発明の一実施形態を示す第２図柄表示手段の変動状態の説明図である。
【符号の説明】
１５    第２図柄表示手段
２８ａ〜２８ｃ    第２図柄（遊技図柄）
３２    主制御基板
３３    図柄制御基板
４４    第２乱数抽選手段（特定態様抽選手段）
４６    利益状態発生手段
４９    非特定態様図柄選択手段（非特定態様リーチ図柄選択手段）
６２    変動パターン記憶手段
６３    特定態様リーチ図柄選択手段
６６    信頼度表示手段
ａ０〜ａ９，ｂ０〜ｂ９，ｃ０〜ｃ９，ｄ０〜ｄ９    リーチ変動パターン
【図１】
0003685751.tif 000002
【図２】
0003685751.tif 000003
【図３】
0003685751.tif 000004
【図４】
0003685751.tif 000005
【図５】
0003685751.tif 000006
【図６】
0003685751.tif 000007
【図７】
0003685751.tif 000008